(57)【要約】【課題】取り扱うビデオ信号を高スペックにしてもハードディスクの内周部を使用してビデオ信号の連続記録動作を正常に行うことができ、ハードディスクドライブの性能も従来通りに抑えることができるビデオ信号記録方法及び装置を提供する。【解決手段】ハードディスク３０の記憶領域を外周パーティション３１、中周パーティション３２および内周パーティション３３の３つのパーティションに分ける。ハードディスク３０に記録されたビデオ信号の容量が最大ファイルサイズ２ＧＢｙｔｅに達する毎にファイル変更を行って外周パーティション３１と内周パーティション３３とを交互に使用してビデオ信号をＨＤＤ２８に記録させる。【選択図】図１
2009043303.tif 000002
【特許請求の範囲】
【請求項１】
ディスク記録媒体にビデオ信号をファイル単位で記録するディスクドライブ部を有し、
前記ディスクドライブ部の前記ディスク記録媒体に対するアクセス速度が前記ディスク記録媒体の外周から内周に至るに従って低速になるビデオ信号記録装置のビデオ信号記録方法であって、
前記ディスクドライブ部により前記ディスク記録媒体に高速にビデオ信号を記録する動作モードが選択されたとき、前記ディスク記録媒体の記録領域を内周パーティションと外周パーティションとの２つのパーティションに分け、前記ディスク記録媒体に記録されたビデオ信号の容量が所定値に達する毎にファイル変更を行って前記ディスク記録媒体の内周パーティションと外周パーティションとを交互に使用してビデオ信号を前記ディスクドライブ部により記録させる、
ことを特徴とするビデオ信号記録方法。
【請求項２】
ディスク記録媒体にビデオ信号をファイル単位で記録するディスクドライブ部と、
前記ディスクドライブ部の動作を制御する制御部とを有し、
前記ディスクドライブ部の前記ディスク記録媒体に対するアクセス速度が前記ディスク記録媒体の外周から内周に至るに従って低速になるビデオ信号記録装置であって、
前記制御部は、前記ディスクドライブ部により前記ディスク記録媒体に高速にビデオ信号を記録する動作モードが選択されたとき、前記ディスク記録媒体の記録領域を内周パーティションと外周パーティションとの２つのパーティションに分け、前記ディスク記録媒体に記録されたビデオ信号の容量が所定値に達する毎にファイル変更を行って前記ディスク記録媒体の内周パーティションと外周パーティションとを交互に使用してビデオ信号を前記ディスクドライブ部により記録させる、
ことを特徴とするビデオ信号記録装置。
【請求項３】
ディスク記録媒体にビデオ信号をファイル単位で記録するディスクドライブ部を有し、
前記ディスクドライブ部の前記ディスク記録媒体に対するアクセス速度が前記ディスク記録媒体の外周から内周に至るに従って低速になるビデオ信号記録装置のビデオ信号記録方法であって、
前記ディスクドライブ部により前記ディスク記録媒体に高速にビデオ信号を記録する動作モードが選択されたとき、前記ディスク記録媒体の記録領域を内周から外周にかけて内周パーティション、中周パーティションおよび外周パーティションの３つのパーティションに分け、前記ディスク記録媒体に記録されたビデオ信号の容量が所定値に達する毎にファイル変更を行って前記ディスク記録媒体の内周パーティションと外周パーティションとを交互に使用してビデオ信号を前記ディスクドライブ部に記録させ、前記内周パーティションおよび前記外周パーティションの使用後には、前記中周パーティションを使用してビデオ信号を前記ディスクドライブ部に記録させる、
ことを特徴とするビデオ信号記録方法。
【請求項４】
ディスク記録媒体にビデオ信号をファイル単位で記録するディスクドライブ部と、
前記ディスクドライブ部の動作を制御する制御部とを有し、
前記ディスクドライブ部の前記ディスク記録媒体に対するアクセス速度が前記ディスク記録媒体の外周から内周に至るに従って低速になるビデオ信号記録装置であって、
前記制御部は、前記ディスクドライブ部により前記ディスク記録媒体に高速にビデオ信号を記録する動作モードが選択されたとき、前記ディスク記録媒体の記録領域を内周から外周にかけて内周パーティション、中周パーティションおよび外周パーティションの３つのパーティションに分け、前記ディスク記録媒体に記録されたビデオ信号の容量が所定値に達する毎にファイル変更を行って前記ディスク記録媒体の内周パーティションと外周パーティションとを交互に使用してビデオ信号を前記ディスクドライブ部に記録させ、前記内周パーティションおよび前記外周パーティションの使用後には、前記中周パーティションを使用してビデオ信号を前記ディスクドライブ部に記録させる、
ことを特徴とするビデオ信号記録装置。
【請求項５】
ディスク記録媒体にビデオ信号をファイル単位で記録するディスクドライブ部と、
前記ディスク記録媒体に記録すべきビデオ信号を一時的に蓄積し、蓄積されたビデオ信号を前記ディスクドライブ部に供給するバッファメモリとを有し、
前記ディスクドライブ部の前記ディスク記録媒体に対するアクセス速度が前記ディスク記録媒体の外周から内周に至るに従って低速になるビデオ信号記録装置のビデオ信号記録方法であって、
前記ディスクドライブ部により前記ディスク記録媒体に高速にビデオ信号を記録する動作モードが選択されたとき、前記ディスク記録媒体の記録領域を内周から外周にかけて３つ以上の複数のパーティションに分け、前記ディスク記録媒体に記録されたビデオ信号の容量が所定値に達したとき、前記バッファメモリに蓄積されたビデオ信号の容量を第１の基準値と比較し、前記バッファメモリに蓄積されたビデオ信号の容量が第１の基準値以上の場合には、ファイル変更を行って現在記録中のパーティションより１つ外周側のパーティションに移行してビデオ信号を前記ディスクドライブ部に記録させ、前記バッファメモリに蓄積されたビデオ信号の容量が第１の基準値より小さい場合には、前記バッファメモリに蓄積されたビデオ信号の容量を前記第１の基準値以下の第２の基準値と比較し、前記バッファメモリに蓄積されたビデオ信号の容量が第２の基準値より大きい場合には、ファイル変更を行って現在記録中のパーティションと同じパーティションでビデオ信号を前記ディスクドライブ部に記録させ、前記バッファメモリに蓄積されたビデオ信号の容量が第２の基準値以下の場合には、ファイル変更を行って現在記録中のパーティションより１つ内周側のパーティションに移行してビデオ信号を前記ディスクドライブ部に記録させる、
ことを特徴とするビデオ信号記録方法。
【請求項６】
ディスク記録媒体にビデオ信号をファイル単位で記録するディスクドライブ部と、
外部から入力されたビデオ信号を前記ディスク記録媒体に記録されるビデオ信号に符号化する符号化部と、
前記符号化部により符号化されたビデオ信号を一時的に蓄積し、蓄積されたビデオ信号を前記ディスクドライブ部に供給するバッファメモリと、
前記ディスクドライブ部、前記符号化部および前記バッファメモリの動作を制御する制御部とを有し、
前記ディスクドライブ部の前記ディスク記録媒体に対するアクセス速度が前記ディスク記録媒体の外周から内周に至るに従って低速になるビデオ信号記録装置であって、
前記制御部は、前記ディスクドライブ部により前記ディスク記録媒体に高速にビデオ信号を記録する動作モードが選択されたとき、前記ディスク記録媒体の記録領域を内周から外周にかけて３つ以上の複数のパーティションに分け、前記ディスク記録媒体に記録されたビデオ信号の容量が所定値に達したとき、前記バッファメモリに蓄積されたビデオ信号の容量を第１の基準値と比較し、前記バッファメモリに蓄積されたビデオ信号の容量が第１の基準値以上の場合には、ファイル変更を行って現在記録中のパーティションより１つ外周側のパーティションに移行してビデオ信号を前記ディスクドライブ部に記録させ、前記バッファメモリに蓄積されたビデオ信号の容量が第１の基準値より小さい場合には、前記バッファメモリに蓄積されたビデオ信号の容量を前記第１の基準値以下の第２の基準値と比較し、前記バッファメモリに蓄積されたビデオ信号の容量が第２の基準値より大きい場合には、ファイル変更を行って現在記録中のパーティションと同じパーティションでビデオ信号を前記ディスクドライブ部に記録させ、前記バッファメモリに蓄積されたビデオ信号の容量が第２の基準値以下の場合には、ファイル変更を行って現在記録中のパーティションより１つ内周側のパーティションに移行してビデオ信号を前記ディスクドライブ部に記録させる、
ことを特徴とするビデオ信号記録装置。
【請求項７】
前記所定値は、前記ディスクドライブ部により記録可能な最大ファイルサイズであることを特徴とする請求項２、４および６の何れか記載のビデオ信号記録装置。
【請求項８】
前記所定値は、前記ディスクドライブ部により記録可能な最大ファイルサイズより小さいことを特徴とする請求項２、４および６の何れか記載のビデオ信号記録装置。
【請求項９】
前記制御部は、前記符号化部による符号化が可変ビットレートの場合、かつ前記バッファメモリに蓄積されたビデオ信号の容量を第１の基準値と比較し、前記バッファメモリに蓄積されたビデオ信号の容量が第１の基準値以上の場合には、前記符号化部による発生符号量が小さくなるように前記符号化部を制御し、前記符号化部による符号化が可変ビットレートの場合、かつ前記バッファメモリに蓄積されたビデオ信号の容量を第２の基準値と比較し、前記バッファメモリに蓄積されたビデオ信号の容量が第２の基準値以下の場合には、前記符号化部による発生符号量が大きくなるように前記符号化部を制御することを特徴とする請求項６記載のビデオ信号記録装置。
【請求項１０】
ディスク記録媒体にビデオ信号をファイル単位で記録するディスクドライブ部と、
前記ディスク記録媒体に記録すべきビデオ信号を一時的に蓄積し、蓄積されたビデオ信号を前記ディスクドライブ部に供給するバッファメモリとを有し、
前記ディスクドライブ部の前記ディスク記録媒体に対するアクセス速度が前記ディスク記録媒体の外周から内周に至るに従って低速になるビデオ信号記録装置のビデオ信号記録方法であって、
前記ディスクドライブ部により前記ディスク記録媒体に高速にビデオ信号を記録する動作モードが選択されたとき、前記ディスク記録媒体の記録領域を内周から外周にかけて３つ以上の複数のパーティションに分け、前記バッファメモリに蓄積されたビデオ信号の容量を監視し、前記バッファメモリに蓄積されたビデオ信号の容量が第１の基準値以上になった場合には、ファイル変更を行って現在記録中のパーティションより１つ外周側のパーティションに移行してビデオ信号を前記ディスクドライブ部に記録させ、前記バッファメモリに蓄積されたビデオ信号の容量が前記第１の基準値以下の第２の基準値以下になった場合には、ファイル変更を行って現在記録中のパーティションより１つ内周側のパーティションに移行してビデオ信号を前記ディスクドライブ部に記録させ、前記バッファメモリに蓄積されたビデオ信号の容量が前記第１の基準値より小さく前記第２の基準より大きい場合には、現在記録中のパーティションと同じパーティションでビデオ信号を前記ディスクドライブ部に記録させる、
ことを特徴とするビデオ信号記録方法。
【請求項１１】
ディスク記録媒体にビデオ信号をファイル単位で記録するディスクドライブ部と、
外部から入力されたビデオ信号を前記ディスク記録媒体に記録されるビデオ信号に符号化する符号化部と、
前記符号化部により符号化されたビデオ信号を一時的に蓄積し、蓄積されたビデオ信号を前記ディスクドライブ装置に供給するバッファメモリと、
前記ディスクドライブ部、前記符号化部および前記バッファメモリの動作を制御する制御部とを有し、
前記ディスクドライブ部の前記ディスク記録媒体に対するアクセス速度が前記ディスク記録媒体の外周から内周に至るに従って低速になるビデオ信号記録装置であって、
前記制御部は、前記ディスクドライブ部により前記ディスク記録媒体に高速にビデオ信号を記録する動作モードが選択されたとき、前記ディスク記録媒体の記録領域を内周から外周にかけて３つ以上の複数のパーティションに分け、前記バッファメモリに蓄積されたビデオ信号の容量を監視し、前記バッファメモリに蓄積されたビデオ信号の容量が第１の基準値以上になった場合には、ファイル変更を行って現在記録中のパーティションより１つ外周側のパーティションに移行してビデオ信号を前記ディスクドライブ部に記録させ、前記バッファメモリに蓄積されたビデオ信号の容量が前記第１の基準値以下の第２の基準値以下になった場合には、ファイル変更を行って現在記録中のパーティションより１つ内周側のパーティションに移行してビデオ信号を前記ディスクドライブ部に記録させ、前記バッファメモリに蓄積されたビデオ信号の容量が前記第１の基準値より小さく前記第２の基準より大きい場合には、現在記録中のパーティションと同じパーティションでビデオ信号を前記ディスクドライブ部に記録させる、
ことを特徴とするビデオ信号記録装置。
【請求項１２】
前記ディスク記録媒体は、ハードディスクであることを特徴とする請求項２、４，６および１１の何れか記載のビデオ信号記録装置。
【請求項１３】
前記制御部は、前記符号化部による符号化が可変ビットレートの場合、かつ前記バッファメモリに蓄積されたビデオ信号の容量が第１の基準値以上になった場合には、前記符号化部による発生符号量が小さくなるように前記符号化部を制御し、前記符号化部による符号化が可変ビットレートの場合、かつ前記バッファメモリに蓄積されたビデオ信号の容量が第２の基準値以下になった場合には、前記符号化部による発生符号量が大きくなるように前記符号化部を制御することを特徴とする請求項１１記載のビデオ信号記録装置。
【発明の詳細な説明】
【技術分野】
【０００１】
本発明は、ハードディスクのようにその外周から内周にかけて記録速度が低下するディスク記録媒体にビデオ信号を記録するビデオ信号記録方法及び装置に関する。
【背景技術】
【０００２】
ハードディスクビデオレコーダでは、入力したビデオ信号を圧縮して符号化し、符号化されたビデオ信号をハードディスクに記録する。ハードディスクにビデオ信号を記録するハードディスクドライブ（以下、ＨＤＤという）は、一般にＯＳ（Operating System）により制御される。ＯＳは、その管理下でファイルシステムを制御し、ファイルシステムは、ＨＤＤを管理下に置き、ビデオ信号の記録再生時のファイル管理を行う。
このようなＯＳの管理下では、ＨＤＤによるファイルアクセスに際し、そのデータの記録バイト量を管理するファイル管理が行われる。例えば３２ビット系システムの場合には、３２ビットの符号付き整数を使用すると、実質３１ビットの２の３１乗の値でファイルのバイト数が表現されるため、最大ファイルサイズが２ＧＢｙｔｅに制限される。
【０００３】
このような場合、ハードディスクビデオレコーダで扱うビデオ信号を標準画質から高画質にする、画面分解能を標準からＨＤ（high definition）にする、フレームレートを標準から高フレームレートにするなどして高スペックにすると、ハードディスクに記録する単位時間当たりのデータ量が増大し、録画の際に最大ファイルサイズの２ＧＢｙｔｅを超えてしまうので、ファイル分割が必要になる。
【０００４】
図４はファイル分割して記録する動作を示すフローチャートである。
図４に示すように、ハードディスクビデオレコーダでは、キャプチャーしたビデオ信号をフレームサイズまたは特定サイズ（ＭａｘＦＳ）ごとにハードディスクに書き込む（ステップＳ５）。この動作を繰り返しループする（ステップＳ５〜Ｓ１３）。このループ中に記録中のファイルサイズが最大ファイルサイズ２ＧＢｙｔｅを超えないかチェックし（ステップＳ８）、超える前に別ファイルに移行する。ファイル移行は、現在書き込み中のファイルをクローズし（ステップＳ９）、次にこれから移行するファイルをオープンし（ステップＳ１０）、そして実際に書き込むファイルを切り替えて行われる（ステップＳ１１）。
【０００５】
図５は、ファイル移行の動作を時間軸上で見た図である。
図５に示されるファイル移行は、記録するファイルサイズが最大ファイルサイズ２ＧＢｙｔｅを超える前に行われるが、この移行動作（ステップＳ２２〜Ｓ２４、ステップＳ２５〜Ｓ２７、ステップＳ２８〜Ｓ３０）は、局所的なシステム負荷を増大させ、記録動作にディレイが発生する。ハードディスクビデオレコーダの性能に余裕がない場合には、ビデオ信号の連続記録動作に支障をきたすため、ハードディスクビデオレコーダの性能に十分な余裕を持たせる必要があり、ハードディスクビデオレコーダのコストアップになる。
【０００６】
ところで、近年のＨＤＤでは内臓のキャッシュ機能と高速インターフースを装備している為に、アクセス速度は高速である。しかし、ＨＤＤに連続したデータの読み書きを行った場合には、ＨＤＤはディスクを一定速度で回転駆動して、そのディスクに磁気ヘッドにより記録再生を行う為に、ヘッドに対するディスクの相対スピードの速い外周ほどデータをより多く記録でき、逆にヘッドに対するディスクの相対スピードの遅い内周ほど、データの記録量が少なくなる特性がある。
したがって、ビデオ信号の高スペック化に伴いハードディスクドライブ（ＨＤＤ）に記録する単位時間あたりのデータ量が増大し、ビデオ信号のような連続したデータの記録再生が必要とされるシステムの場合には、ＨＤＤのディスクの内周部では連続データの読み書き性能が劣る為に、ビデオ信号の連続記録再生動作に支障をきたすといった問題があった。
ＨＤＤのアクセス速度は、インターフェースの速度の意味とデータの連続読み書き速度の意味で使われることがある。
以降の説明のＨＤＤのアクセス速度は、インターフェースのアクセス速度では無く、ハードディスクドライブ（ＨＤＤ）のデータの連続読み書き速度の意味に使用する。
従来のハードディスク装置では、高速な動画データをハードディスクの外周部に記録させ、低速な静止画データをハードディスクの内周部に記憶させたものがある（例えば特許文献１。）
【特許文献１】特開２０００−３３９８５４号公報
【発明の開示】
【発明が解決しようとする課題】
【０００７】
しかしながら、従来のハードディスクビデオレコーダでは、取り扱うビデオ信号を前述のような高スペックにすると、ハードディスクの内周部ではビデオ信号の連続記録再生動作に支障をきたす場合があった。
この問題を解消するには、ハードディスクビデオレコーダの性能に十分な余裕を持たせる必要があり、ハードディスクビデオレコーダのコストアップになるといった問題があった。
【０００８】
本発明は、このような事情に鑑みなされたものであり、その目的は、取り扱うビデオ信号を高スペックにしてもハードディスクの内周部を使用してビデオ信号の連続記録動作を正常に行うことができ、ハードディスクドライブの性能も従来通りに抑えることができるビデオ信号記録方法及び装置を提供するにある。
【課題を解決するための手段】
【０００９】
上記目的を達成するため、本発明のビデオ信号記録方法は、ディスク記録媒体にビデオ信号をファイル単位で記録するディスクドライブ部を有し、前記ディスクドライブ部の前記ディスク記録媒体に対するアクセス速度が前記ディスク記録媒体の外周から内周に至るに従って低速になるビデオ信号記録装置のビデオ信号記録方法であって、前記ディスクドライブ部により前記ディスク記録媒体に高速にビデオ信号を記録する動作モードが選択されたとき、前記ディスク記録媒体の記録領域を内周パーティションと外周パーティションとの２つのパーティションに分け、前記ディスク記録媒体に記録されたビデオ信号の容量が所定値に達する毎にファイル変更を行って前記ディスク記録媒体の内周パーティションと外周パーティションとを交互に使用してビデオ信号を前記ディスクドライブ部により記録させることを特徴とする。
また、本発明のビデオ信号記録装置は、ディスク記録媒体にビデオ信号をファイル単位で記録するディスクドライブ部と、前記ディスクドライブ部の動作を制御する制御部とを有し、前記ディスクドライブ部の前記ディスク記録媒体に対するアクセス速度が前記ディスク記録媒体の外周から内周に至るに従って低速になるビデオ信号記録装置であって、前記制御部は、前記ディスクドライブ部により前記ディスク記録媒体に高速にビデオ信号を記録する動作モードが選択されたとき、前記ディスク記録媒体の記録領域を内周パーティションと外周パーティションとの２つのパーティションに分け、前記ディスク記録媒体に記録されたビデオ信号の容量が所定値に達する毎にファイル変更を行って前記ディスク記録媒体の内周パーティションと外周パーティションとを交互に使用してビデオ信号を前記ディスクドライブ部により記録させることを特徴とする。
【００１０】
また、本発明のビデオ信号記録方法は、ディスク記録媒体にビデオ信号をファイル単位で記録するディスクドライブ部を有し、前記ディスクドライブ部の前記ディスク記録媒体に対するアクセス速度が前記ディスク記録媒体の外周から内周に至るに従って低速になるビデオ信号記録装置のビデオ信号記録方法であって、前記ディスクドライブ部により前記ディスク記録媒体に高速にビデオ信号を記録する動作モードが選択されたとき、前記ディスク記録媒体の記録領域を内周から外周にかけて内周パーティション、中周パーティションおよび外周パーティションの３つのパーティションに分け、前記ディスク記録媒体に記録されたビデオ信号の容量が所定値に達する毎にファイル変更を行って前記ディスク記録媒体の内周パーティションと外周パーティションとを交互に使用してビデオ信号を前記ディスクドライブ部に記録させ、前記内周パーティションおよび前記外周パーティションの使用後には、前記中周パーティションを使用してビデオ信号を前記ディスクドライブ部に記録させることを特徴とする。
また、本発明のビデオ信号記録装置は、ディスク記録媒体にビデオ信号をファイル単位で記録するディスクドライブ部と、前記ディスクドライブ部の動作を制御する制御部とを有し、前記ディスクドライブ部の前記ディスク記録媒体に対するアクセス速度が前記ディスク記録媒体の外周から内周に至るに従って低速になるビデオ信号記録装置であって、前記制御部は、前記ディスクドライブ部により前記ディスク記録媒体に高速にビデオ信号を記録する動作モードが選択されたとき、前記ディスク記録媒体の記録領域を内周から外周にかけて内周パーティション、中周パーティションおよび外周パーティションの３つのパーティションに分け、前記ディスク記録媒体に記録されたビデオ信号の容量が所定値に達する毎にファイル変更を行って前記ディスク記録媒体の内周パーティションと外周パーティションとを交互に使用してビデオ信号を前記ディスクドライブ部に記録させ、前記内周パーティションおよび前記外周パーティションの使用後には、前記中周パーティションを使用してビデオ信号を前記ディスクドライブ部に記録させることを特徴とする。
【００１１】
また、本発明のビデオ信号記録方法は、ディスク記録媒体にビデオ信号をファイル単位で記録するディスクドライブ部と、前記ディスク記録媒体に記録すべきビデオ信号を一時的に蓄積し、蓄積されたビデオ信号を前記ディスクドライブ部に供給するバッファメモリとを有し、前記ディスクドライブ部の前記ディスク記録媒体に対するアクセス速度が前記ディスク記録媒体の外周から内周に至るに従って低速になるビデオ信号記録装置のビデオ信号記録方法であって、前記ディスクドライブ部により前記ディスク記録媒体に高速にビデオ信号を記録する動作モードが選択されたとき、前記ディスク記録媒体の記録領域を内周から外周にかけて３つ以上の複数のパーティションに分け、前記ディスク記録媒体に記録されたビデオ信号の容量が所定値に達したとき、前記バッファメモリに蓄積されたビデオ信号の容量を第１の基準値と比較し、前記バッファメモリに蓄積されたビデオ信号の容量が第１の基準値以上の場合には、ファイル変更を行って現在記録中のパーティションより１つ外周側のパーティションに移行してビデオ信号を前記ディスクドライブ部に記録させ、前記バッファメモリに蓄積されたビデオ信号の容量が第１の基準値より小さい場合には、前記バッファメモリに蓄積されたビデオ信号の容量を前記第１の基準値以下の第２の基準値と比較し、前記バッファメモリに蓄積されたビデオ信号の容量が第２の基準値より大きい場合には、ファイル変更を行って現在記録中のパーティションと同じパーティションでビデオ信号を前記ディスクドライブ部に記録させ、前記バッファメモリに蓄積されたビデオ信号の容量が第２の基準値以下の場合には、ファイル変更を行って現在記録中のパーティションより１つ内周側のパーティションに移行してビデオ信号を前記ディスクドライブ部に記録させることを特徴とする。
また、本発明のビデオ信号記録装置は、ディスク記録媒体にビデオ信号をファイル単位で記録するディスクドライブ部と、外部から入力されたビデオ信号を前記ディスク記録媒体に記録されるビデオ信号に符号化する符号化部と、前記符号化部により符号化されたビデオ信号を一時的に蓄積し、蓄積されたビデオ信号を前記ディスクドライブ部に供給するバッファメモリと、前記ディスクドライブ部、前記符号化部および前記バッファメモリの動作を制御する制御部とを有し、前記ディスクドライブ部の前記ディスク記録媒体に対するアクセス速度が前記ディスク記録媒体の外周から内周に至るに従って低速になるビデオ信号記録装置であって、前記制御部は、前記ディスクドライブ部により前記ディスク記録媒体に高速にビデオ信号を記録する動作モードが選択されたとき、前記ディスク記録媒体の記録領域を内周から外周にかけて３つ以上の複数のパーティションに分け、前記ディスク記録媒体に記録されたビデオ信号の容量が所定値に達したとき、前記バッファメモリに蓄積されたビデオ信号の容量を第１の基準値と比較し、前記バッファメモリに蓄積されたビデオ信号の容量が第１の基準値以上の場合には、ファイル変更を行って現在記録中のパーティションより１つ外周側のパーティションに移行してビデオ信号を前記ディスクドライブ部に記録させ、前記バッファメモリに蓄積されたビデオ信号の容量が第１の基準値より小さい場合には、前記バッファメモリに蓄積されたビデオ信号の容量を前記第１の基準値以下の第２の基準値と比較し、前記バッファメモリに蓄積されたビデオ信号の容量が第２の基準値より大きい場合には、ファイル変更を行って現在記録中のパーティションと同じパーティションでビデオ信号を前記ディスクドライブ部に記録させ、前記バッファメモリに蓄積されたビデオ信号の容量が第２の基準値以下の場合には、ファイル変更を行って現在記録中のパーティションより１つ内周側のパーティションに移行してビデオ信号を前記ディスクドライブ部に記録させることを特徴とする。
【００１２】
また、本発明のビデオ信号記録方法は、ディスク記録媒体にビデオ信号をファイル単位で記録するディスクドライブ部と、前記ディスク記録媒体に記録すべきビデオ信号を一時的に蓄積し、蓄積されたビデオ信号を前記ディスクドライブ部に供給するバッファメモリとを有し、前記ディスクドライブ部の前記ディスク記録媒体に対するアクセス速度が前記ディスク記録媒体の外周から内周に至るに従って低速になるビデオ信号記録装置のビデオ信号記録方法であって、前記ディスクドライブ部により前記ディスク記録媒体に高速にビデオ信号を記録する動作モードが選択されたとき、前記ディスク記録媒体の記録領域を内周から外周にかけて３つ以上の複数のパーティションに分け、前記バッファメモリに蓄積されたビデオ信号の容量を監視し、前記バッファメモリに蓄積されたビデオ信号の容量が第１の基準値以上になった場合には、ファイル変更を行って現在記録中のパーティションより１つ外周側のパーティションに移行してビデオ信号を前記ディスクドライブ部に記録させ、前記バッファメモリに蓄積されたビデオ信号の容量が前記第１の基準値以下の第２の基準値以下になった場合には、ファイル変更を行って現在記録中のパーティションより１つ内周側のパーティションに移行してビデオ信号を前記ディスクドライブ部に記録させ、前記バッファメモリに蓄積されたビデオ信号の容量が前記第１の基準値より小さく前記第２の基準より大きい場合には、現在記録中のパーティションと同じパーティションでビデオ信号を前記ディスクドライブ部に記録させることを特徴とする。
また、本発明のビデオ信号記録装置は、ディスク記録媒体にビデオ信号をファイル単位で記録するディスクドライブ部と、外部から入力されたビデオ信号を前記ディスク記録媒体に記録されるビデオ信号に符号化する符号化部と、前記符号化部により符号化されたビデオ信号を一時的に蓄積し、蓄積されたビデオ信号を前記ディスクドライブ装置に供給するバッファメモリと、前記ディスクドライブ部、前記符号化部および前記バッファメモリの動作を制御する制御部とを有し、前記ディスクドライブ部の前記ディスク記録媒体に対するアクセス速度が前記ディスク記録媒体の外周から内周に至るに従って低速になるビデオ信号記録装置であって、前記制御部は、前記ディスクドライブ部により前記ディスク記録媒体に高速にビデオ信号を記録する動作モードが選択されたとき、前記ディスク記録媒体の記録領域を内周から外周にかけて３つ以上の複数のパーティションに分け、前記バッファメモリに蓄積されたビデオ信号の容量を監視し、前記バッファメモリに蓄積されたビデオ信号の容量が第１の基準値以上になった場合には、ファイル変更を行って現在記録中のパーティションより１つ外周側のパーティションに移行してビデオ信号を前記ディスクドライブ部に記録させ、前記バッファメモリに蓄積されたビデオ信号の容量が前記第１の基準値以下の第２の基準値以下になった場合には、ファイル変更を行って現在記録中のパーティションより１つ内周側のパーティションに移行してビデオ信号を前記ディスクドライブ部に記録させ、前記バッファメモリに蓄積されたビデオ信号の容量が前記第１の基準値より小さく前記第２の基準より大きい場合には、現在記録中のパーティションと同じパーティションでビデオ信号を前記ディスクドライブ部に記録させることを特徴とする。
【発明の効果】
【００１３】
本発明のビデオ信号記録方法及び装置によれば、前記ディスクドライブ部により前記ディスク記録媒体に高速にビデオ信号を記録する動作モードが選択されたとき、前記ディスク記録媒体の記録領域を内周パーティションと外周パーティションとの２つのパーティションに分ける。そして、前記ディスク記録媒体に記録されたビデオ信号の容量が所定値に達する毎にファイル変更を行って前記ディスク記録媒体の内周パーティションと外周パーティションとを交互に使用してビデオ信号を前記ディスクドライブ部により記録させる。
このため、ディスク記録媒体に対するアクセス速度が低速の内周パーティションとディスク記録媒体に対するアクセス速度が高速の外周パーティションとを交互に使用することで、内周パーティションのアクセス速度不足を高速アクセスの外周パーティションで補い、ディスク記録媒体に対するアクセス速度を平均化して使用することができる。このため、ディスク記録媒体の内周部にビデオ信号を連続してアクセスしたとき、ビデオ信号の連続記録に支障をきたすような場合でも、内周パーティションと外周パーティションとを使用して高速なビデオ信号のアクセス動作を行うことができる。したがって、高速でのビデオ信号の長時間の録画が選択された場合でも支障なく連続録画を行うことが可能となる。また、ディスク記録媒体の内周部でのビデオ信号の連続アクセスができるほどディスクドライブ部のアクセス性能を上げる必要がなく、ビデオ信号記録装置のコストアップを抑制することができる。
【００１４】
また、本発明のビデオ信号記録方法及び装置によれば、前記ディスクドライブ部により前記ディスク記録媒体に高速にビデオ信号を記録する動作モードが選択されたとき、前記ディスク記録媒体の記録領域を内周から外周にかけて内周パーティション、中周パーティションおよび外周パーティションの３つのパーティションに分ける。そして、前記ディスク記録媒体に記録されたビデオ信号の容量が所定値に達する毎にファイル変更を行って前記ディスク記録媒体の内周パーティションと外周パーティションとを交互に使用してビデオ信号を前記ディスクドライブ部に記録させ、前記内周パーティションおよび前記外周パーティションの使用後には、前記中周パーティションを使用してビデオ信号を前記ディスクドライブ部に記録させる。
このため、ディスク記録媒体に対するアクセス速度が低速の内周パーティションとディスク記録媒体に対するアクセス速度が高速の外周パーティションとを交互に使用することで、内周パーティションのアクセス速度不足を高速アクセスの外周パーティションで補い、ディスク記録媒体に対するアクセス速度を中周パーティションと同等に平均化して使用することができる。このため、ディスク記録媒体の内周部にビデオ信号を連続してアクセスしたとき、ビデオ信号の連続記録に支障をきたすような場合でも、内周パーティションと外周パーティションとを交互に使用して中周パーティションと同等の高速のアクセス速度でビデオ信号のアクセス動作を行うことができる。したがって、高速でのビデオ信号の長時間の録画が選択された場合でも支障なく連続録画を行うことが可能となる。また、ディスク記録媒体の内周部でのビデオ信号の連続アクセスができるほどディスクドライブ部のアクセス性能を上げる必要がなく、ビデオ信号記録装置のコストアップを抑制することができる。
【００１５】
また、本発明のビデオ信号記録方法及び装置によれば、前記ディスクドライブ部により前記ディスク記録媒体に高速にビデオ信号を記録する動作モードが選択されたとき、前記ディスク記録媒体の記録領域を内周から外周にかけて３つ以上の複数のパーティションに分ける。そして、前記ディスク記録媒体に記録されたビデオ信号の容量が所定値に達したとき、前記バッファメモリに蓄積されたビデオ信号の容量を第１の基準値と比較し、前記バッファメモリに蓄積されたビデオ信号の容量が第１の基準値以上の場合には、ファイル変更を行って現在記録中のパーティションより１つ外周側のパーティションに移行してビデオ信号を前記ディスクドライブ部に記録させ、前記バッファメモリに蓄積されたビデオ信号の容量が第１の基準値より小さい場合には、前記バッファメモリに蓄積されたビデオ信号の容量を前記第１の基準値以下の第２の基準値と比較し、前記バッファメモリに蓄積されたビデオ信号の容量が第２の基準値より大きい場合には、ファイル変更を行って現在記録中のパーティションと同じパーティションでビデオ信号を前記ディスクドライブ部に記録させ、前記バッファメモリに蓄積されたビデオ信号の容量が第２の基準値以下の場合には、ファイル変更を行って現在記録中のパーティションより１つ内周側のパーティションに移行してビデオ信号を前記ディスクドライブ部に記録させる。
このため、ディスク記録媒体に記録されたビデオ信号の容量が所定値に達する毎にバッファメモリに蓄積されたビデオ信号の容量を検出し、蓄積されたビデオ信号の容量が第１基準値以上のときには、よりアクセス速度が高速な外周側のパーティションに移行してビデオ信号を記録し、蓄積されたビデオ信号の容量が第２基準値以下のときには、よりアクセス速度が低速な内周側のパーティションに移行してビデオ信号を記録することができる。このため、ディスク記録媒体の内周部にビデオ信号を連続してアクセスしたとき、ビデオ信号の連続記録に支障をきたすような場合でも、バッファメモリに蓄積されたビデオ信号の容量に応じて最適なパーティションを選択して移行することができる。したがって、高速でのビデオ信号の長時間の録画が選択された場合でも支障なく連続録画を行うことが可能となる。また、ディスク記録媒体の内周部でのビデオ信号の連続アクセスができるほどディスクドライブ部のアクセス性能を上げる必要がなく、ビデオ信号記録装置のコストアップを抑制することができる。
【００１６】
また、本発明のビデオ信号記録方法及び装置によれば、前記ディスクドライブ部により前記ディスク記録媒体に高速にビデオ信号を記録する動作モードが選択されたとき、前記ディスク記録媒体の記録領域を内周から外周にかけて３つ以上の複数のパーティションに分ける。そして、前記バッファメモリに蓄積されたビデオ信号の容量を監視し、前記バッファメモリに蓄積されたビデオ信号の容量が第１の基準値以上になった場合には、ファイル変更を行って現在記録中のパーティションより１つ外周側のパーティションに移行してビデオ信号を前記ディスクドライブ部に記録させ、前記バッファメモリに蓄積されたビデオ信号の容量が前記第１の基準値以下の第２の基準値以下になった場合には、ファイル変更を行って現在記録中のパーティションより１つ内周側のパーティションに移行してビデオ信号を前記ディスクドライブ部に記録させ、前記バッファメモリに蓄積されたビデオ信号の容量が前記第１の基準値より小さく前記第２の基準値より大きい場合には、現在記録中のパーティションと同じパーティションでビデオ信号を前記ディスクドライブ部に記録させる。
このため、バッファメモリに蓄積されたビデオ信号の容量を常に監視し、蓄積されたビデオ信号の容量が第１基準値以上のときには、よりアクセス速度が高速な外周側のパーティションに移行してビデオ信号を記録し、蓄積されたビデオ信号の容量が第２基準値以下のときには、よりアクセス速度が低速な内周側のパーティションに移行してビデオ信号を記録することができる。このため、ディスク記録媒体の内周部にビデオ信号を連続してアクセスしたとき、ビデオ信号の連続記録に支障をきたすような場合でも、バッファメモリに蓄積されたビデオ信号の容量に応じて最適なパーティションを選択して移行することができる。したがって、高速でのビデオ信号の長時間の録画が選択された場合でも支障なく連続録画を行うことが可能となる。また、ディスク記録媒体の内周部でのビデオ信号の連続アクセスができるほどディスクドライブ部のアクセス性能を上げる必要がなく、ビデオ信号記録装置のコストアップを抑制することができる。
【発明を実施するための最良の形態】
【００１７】
以下、本発明のビデオ信号記録方法及び装置を適用したハードディスクビデオレコーダの実施の形態を図面を参照して説明する。
（実施の形態１）
図１は、実施の形態１のハードディスクビデオレコーダの構成を示すブロック図である。
図１に示すように、このハードディスクビデオレコーダは、ビデオ入力部１２、ビデオ同期部１４、ビデオ出力部１６、符号化部１８、復号部２０、システム制御部２２、ファイルシステム２４、バッファメモリ２６およびＨＤＤ２８を備える。
【００１８】
ビデオ入力部１２は、外部からビデオ信号を入力する。ビデオ入力部１２は、例えば、入力されるビデオ信号がアナログ信号の場合には、Ａ／Ｄ変換を行いデジタル信号に変換する。入力される信号がＲＧＢ信号の場合には、ＲＧＢ信号をＹＣｒＣｂ信号に変換する。ビデオ同期部１４は、入力されたビデオ信号に対し同期を取り、垂直同期信号、水平同期信号、クロック信号等の各種の信号をビデオ信号に付加するものである。符号化部１８は、ビデオ信号の記録時にビデオ入力部１２により入力されたビデオ信号を圧縮して符号化するものである。符号化部１８により符号化されたビデオ信号は、バッファメモリ２６に一時的に蓄積され、ＨＤＤ２８に供給される。
【００１９】
ＨＤＤ２８は、ビデオ信号の記録時には、バッファメモリ２６から供給されたビデオ信号をハードディスク３０に記録し、ビデオ信号の再生時には、ハードディスク３０に記録されたビデオ信号を読み出し、読み出されたビデオ信号をバッファメモリ２６に供給してビデオ信号の再生を行う。バッファメモリ２６は、ビデオ信号の記録時には、符号部１８により符号化されたビデオ信号を一時的に蓄積してＨＤＤ２８に供給し、ビデオ信号の再生時には、ＨＤＤ２８によりハードディスク３０から読み出されたビデオ信号を一時的に記憶して復号部２０に出力する。
【００２０】
復号部２０は、ビデオ信号の再生時にＨＤＤ２８によりハードディスク３０から読み出されたビデオ信号を復号する。ビデオ出力部１６は、ビデオ同期部１４と協力して復号部２３０により復号されたビデオ信号に同期信号などを付加して外部に出力する。
【００２１】
システム制御部２２は、本装置の全体を制御するものであり、例えばＣＰＵ、ＲＯＭ、ＲＡＭ、周辺回路インタフェースを有するマイクロコンピュータから構成される。ファイルシステム２４は、ＨＤＤ２８を管理下に置き、あるデータサイズに分割されたビデオ信号をハードディスク３０に記録再生する際のファイル管理を行う。
【００２２】
次に、ハードディスクビデオレコーダのビデオ信号記録方法について説明する。
ハードディスクビデオレコーダの記録時には、ビデオ入力部１２により入力され、符号化部１８により符号化されたビデオ信号がバッファメモリ２６に一時的に蓄積され、ＨＤＤ２８に供給される。システム制御部２２およびファイルシステム２４によりＨＤＤ２８が制御され、次のような動作によりハードディスク３０にビデオ信号が記録される。
【００２３】
ビデオ信号の記録の際には、ファイル分割が行われる。ビデオ信号は、３２ビットの符号付き整数で表現され、最大ファイルサイズが２ＧＢｙｔｅに制限されているものとする。
ここで、ビデオ信号の記録動作モードとして、標準画質から高画質にする、画面分解能を標準からＨＤ（high definition）にする、フレームレートを標準から高フレームレートにするなどの高速動作モードが選択されたものとする。
高速動作モードが選択されたときには、ハードディスク３０の最内周部ではビデオ信号の書き込み速度が符号化部１８の符号化速度（固定ビットレートの場合）より遅いものとする。
【００２４】
図２は、ハードディスクの記憶領域の分割方法の一例を示す図である。
ハードディスクビデオレコーダの記録時に高速動作モードが選択されると、図２に示すように、システム制御部２２およびファイルシステム２４によりハードディスク３０の記憶領域がハードディスク３０の外周から内周にかけて外周パーティション３１、中周パーティション３２および内周パーティション３３の３つのパーティションに分けられる。
【００２５】
まず、外周パーティション３１にファイル１が作成され、ビデオ信号の記録が開始される。このとき、外周パーティション３１におけるＨＤＤ２８の連続書き込み速度は、ビデオ信号の符号化速度より速いため、バッファメモリ２６にビデオ信号が溜まることはない。
次に、ファイル１が最大ファイルサイズ２ＧＢｙｔｅに達すると、ファイル変更が行われる。ファイル１がクローズされ、ファイル２がオープンされる。このとき、ファイル２は、内周パーティション３３にオープンされ、ビデオ信号が記録される。内周パーティション３３におけるＨＤＤ２８の連続書き込み速度は、ビデオ信号の符号化速度より遅いため、バッファメモリ２６にビデオ信号が溜まり出す。
【００２６】
次に、ファイル２が最大ファイルサイズ２ＧＢｙｔｅに達すると、ファイル変更が行われる。ファイル２がクローズされ、ファイル３がオープンされる。このとき、ファイル３は、外周パーティション３１にオープンされ、ビデオ信号が記録される。外周パーティション３１におけるＨＤＤ２８の連続書き込み速度は、ビデオ信号の符号化速度より速いため、バッファメモリ２６に溜まったビデオ信号が減っていく。
以降、ファイル２が最大ファイルサイズ２ＧＢｙｔｅに達する毎に内周パーティション３３と外周パーティション３１とが交互に使用されてビデオ信号が記録され、これらのパーティション３１、３３の使用後には、中周パーティション３２が使用されてビデオ信号が記録される。中周パーティション３２におけるＨＤＤ２８の連続書き込み速度は、ビデオ信号の符号化速度より速いため、バッファメモリ２６にビデオ信号が溜まることはない。
なお、ビデオ信号の再生時には、記録時と同様な動作が繰り返されることになる。
【００２７】
このように実施の形態１のハードディスクビデオレコーダによれば、ハードディスク３０に記録されたビデオ信号の容量が最大ファイルサイズ２ＧＢｙｔｅに達する毎にファイル変更を行って外周パーティション３１と内周パーティション３３とを交互に使用してビデオ信号をＨＤＤ２８に記録させ、外周パーティション３１および内周パーティション３３の使用後には、中周パーティション３２を使用してビデオ信号をＨＤＤ２８に記録させる。
【００２８】
このため、アクセス速度が低速の内周パーティション３３とアクセス速度が高速の外周パーティション３３とを交互に使用することで、内周パーティション３３のアクセス速度不足を高速アクセスの外周パーティション３１で補い、ＨＤＤ２８のアクセス速度を中周パーティション３２と同等に平均化して使用することができる。このため、ハードディスク３０の内周部にビデオ信号を連続してアクセスしたとき、ビデオ信号の連続記録に支障をきたすような場合でも、内周パーティション３３と外周パーティション３１とを交互に使用することにより中周パーティション３２と同等のアクセス速度でビデオ信号のアクセス動作を行うことができる。したがって、高速のビデオ信号の長時間の録画が選択された場合でも支障なく連続録画を行うことが可能となる。また、ハードディスク３０の内周部でのビデオ信号の連続アクセスができるほどＨＤＤ２８のアクセス性能を上げる必要がなく、ビデオ信号記録装置のコストアップを抑制することができる。
【００２９】
なお、実施の形態１では、ファイル２が最大ファイルサイズ２ＧＢｙｔｅに達する毎にファイル変更を行っているが、ファイル変更は、最大ファイルサイズ２ＧＢｙｔｅ毎に限られるものではない。例えば、バッファメモリ２６のサイズ等を考慮して、数十メガバイト、数百メガバイトなどの適宜定めた固定値毎にファイル変更を行っても良い。
【００３０】
また、実施の形態１では、ハードディスク３０の記憶領域を外周パーティション３１、中周パーティション３２および内周パーティション３３の３つのパーティションに分けたが、ハードディスク３０の記憶領域を外周パーティションおよび内周パーティションの２つのパーティションに分け、ファイル変更毎に外周パーティションおよび内周パーティションを交互に使用してビデオ信号を記録しても同様の効果を奏する。
【００３１】
（実施の形態２）
実施の形態２のハードディスクビデオレコーダは、実施の形態１のハードディスクビデオレコーダと同様に高速動作モードが選択されると、システム制御部２２およびファイルシステム２４によりハードディスク３０の記憶領域をハードディスク３０の外周から内周にかけて外周パーティション３１、中周パーティション３２および内周パーティション３３の３つのパーティションに分けるが、以降の動作が異なる。
以下、この以降の動作について説明する。
【００３２】
まず、内周パーティション３３にファイル１が作成され、ビデオ信号の記録が開始される。内周パーティション３３でのＨＤＤ２８の連続書き込み速度は、ビデオ信号の符号化速度より遅いため、バッファメモリ２６にビデオ信号が溜まり出す。
【００３３】
次に、ファイル１が最大ファイルサイズ２ＧＢｙｔｅに達すると、ファイル変更が行われる。ファイル１がクローズされ、ファイル２がオープンされる。このとき、バッファメモリ２６に蓄積されたビデオ信号の容量が検出される。
そして、バッファメモリ２６に蓄積されたビデオ信号の容量が第１の基準値と比較され、バッファメモリ２６に蓄積されたビデオ信号の容量が第１の基準値以上の場合には、現在記録中のパーティション（内周パーティション３３）より１つ外周側のパーティション（中周パーティション３２）に移行してファイル２がオープンされ、ビデオ信号が記録される。一方、バッファメモリ２６に蓄積されたビデオ信号の容量が第１の基準値より小さい場合には、同じ内周パーティション３３にファイル２がオープンされ、ビデオ信号が記録される。ここでは、中周パーティション３２に移行してファイル２がオープンされたものとする。
【００３４】
次に、ファイル２が最大ファイルサイズ２ＧＢｙｔｅに達すると、ファイル変更が行われる。ファイル２がクローズされ、ファイル３がオープンされる。このとき、バッファメモリ２６に蓄積されたビデオ信号の容量が検出される。
そして、バッファメモリ２６に蓄積されたビデオ信号の容量が第１の基準値と比較され、バッファメモリ２６に蓄積されたビデオ信号の容量が第１の基準値以上の場合には、現在記録中のパーティション（中周パーティション３２）より１つ外周側のパーティション（外周パーティション３１）に移行してファイル３がオープンされ、ビデオ信号が記録される。
【００３５】
一方、バッファメモリ２６に蓄積されたビデオ信号の容量が第１の基準値より小さい場合には、バッファメモリ２６に蓄積されたビデオ信号の容量が第１の基準値以下の第２の基準値と比較される。バッファメモリ２６に蓄積されたビデオ信号の容量が第２の基準値より大きい場合には、現在記録中のパーティション（中周パーティション３２）と同じパーティションでファイル３がオープンされビデオ信号が記録される。一方、バッファメモリ２６に蓄積されたビデオ信号の容量が第２の基準値以下の場合には、現在記録中のパーティションより１つ内周側のパーティション（内周パーティション３３）に移行してビデオ信号が記録される。
【００３６】
以降、ファイル２が最大ファイルサイズ２ＧＢｙｔｅに達する毎にバッファメモリ２６に蓄積されたビデオ信号の容量が検出され、バッファメモリ２６に蓄積されたビデオ信号の容量が第１の基準値以上の場合には、現在記録中のパーティションより１つ外周側のパーティションに移行してファイルがオープンされ、バッファメモリ２６に蓄積されたビデオ信号の容量が第２の基準値以下の場合には、現在記録中のパーティションより１つ内周側のパーティションに移行してファイルがオープンされ、バッファメモリ２６に蓄積されたビデオ信号の容量が第２の基準値より大きく、第１の基準値より小さい場合には、現在記録中のパーティションにファイルがオープンされてビデオ信号が記録される。
なお、ビデオ信号の再生時には、記録時と同様な動作が繰り返されることになる。
【００３７】
このように実施の形態２のハードディスクビデオレコーダによれば、ハードディスク３０に記録されたビデオ信号の容量が最大ファイルサイズ２ＧＢｙｔｅに達する毎にバッファメモリ２６に蓄積されたビデオ信号の容量を検出し、蓄積されたビデオ信号の容量が第１基準値以上のときには、よりアクセス速度が高速な外周側のパーティションに移行してビデオ信号を記録し、蓄積されたビデオ信号の容量が第２基準値以下のときには、よりアクセス速度が低速な内周側のパーティションに移行してビデオ信号を記録する。
【００３８】
このため、ハードディスク３０の内周部にビデオ信号を連続してアクセスしたとき、ビデオ信号の連続記録に支障をきたすような場合でも、バッファメモリ２６に蓄積されたビデオ信号の容量に応じて最適なパーティションを選択して移行することができる。したがって、高速でのビデオ信号の長時間の録画が選択された場合でも支障なく連続録画を行うことが可能となる。また、ハードディスク３０の内周部でのビデオ信号の連続アクセスができるほどＨＤＤ２８のアクセス性能を上げる必要がなく、ビデオ信号記録装置のコストアップを抑制することができる。
【００３９】
なお、実施の形態２では、ファイル２が最大ファイルサイズ２ＧＢｙｔｅに達する毎にファイル変更を行っているが、ファイル変更は、最大ファイルサイズ２ＧＢｙｔｅ毎に限られるものではない。例えば、バッファメモリ２６のサイズ等を考慮して、数十メガバイト、数百メガバイトなどの適宜定めた固定値毎にファイル変更を行っても良い。
【００４０】
また、実施の形態２では、ハードディスク３０の記憶領域を３つのパーティション３１３２、３３に分割しているが、分割するパーティションの数を増やせば、より適切なパーティションの移行を実現することができる。
図３はハードディスクの記憶領域の分割方法の他の例を示す図である。
図３では、ハードディスク３０の記憶領域がＭ（ここでは４以上の整数）個のパーティションに４１、４２、４３、・・・、４４に均等に分割されている。
【００４１】
また、符号化部１８による符号化が可変ビットレートの場合、システム制御部２２およびファイルシステム２４により符号化部１８の発生符号量を制御してバッファメモリ２６に蓄積されるビデオ信号の容量を制御することができる。
例えば、システム制御部２２およびファイルシステム２４は、バッファメモリ２６に蓄積されたビデオ信号の容量を検出し、蓄積されたビデオ信号の容量が第１基準値以上のときには、符号化部１８の圧縮率を大きくするなどして符号化部１８の発生符号量を小さくし、蓄積されたビデオ信号の容量が第２基準値以下のときには、符号化部１８の圧縮率を小さくするなどして符号化部１８の発生符号量を大きくする。
また、最外周のパーティションを使用していたときに限定して、蓄積されたビデオ信号の容量が第１基準値以上の場合に符号化部１８の発生符号量を小さくする制御を行ったり、最内周のパーティションを使用していたときに限定して、蓄積されたビデオ信号の容量が第２基準値以下の場合に、符号化部１８の発生符号量を大きくするなど、符号化部１８の符号量制御は適宜用いることができる。
【００４２】
（実施の形態３）
実施の形態３のハードディスクビデオレコーダは、実施の形態２のハードディスクビデオレコーダと同様の構成であるが、高速動作モードが選択されたとき、常時バッファメモリ２６に蓄積されたビデオ信号を監視して、ファイルサイズに関係なくパーティションを移行する点が異なる。
【００４３】
高速動作モードが選択されたとき、ハードディスク３０の記録領域を内周から外周にかけて３つ以上の複数のパーティションに分ける。そして、バッファメモリ２６に蓄積されたビデオ信号の容量を監視し、バッファメモリ２６に蓄積されたビデオ信号の容量が第１の基準値以上になった場合には、ファイルサイズに関係なくファイル変更を行い、現在記録中のパーティションより１つ外周側のパーティションに移行してビデオ信号を記録する。また、バッファメモリ２６に蓄積されたビデオ信号の容量が第１の基準値以下の第２の基準値以下になった場合には、ファイルサイズに関係なくファイル変更を行い、現在記録中のパーティションより１つ内周側のパーティションに移行してビデオ信号を記録する。また、バッファメモリ２６に蓄積されたビデオ信号の容量が第１の基準値より小さく第２の基準値より大きい場合には、現在記録中のパーティションと同じパーティションでビデオ信号を記録する。
【００４４】
このため、バッファメモリ２６に蓄積されたビデオ信号の容量を常に監視し、蓄積されたビデオ信号の容量が第１基準値以上のときには、よりアクセス速度が高速な外周側のパーティションに移行してビデオ信号を記録し、蓄積されたビデオ信号の容量が第２基準値以下のときには、よりアクセス速度が低速な内周側のパーティションに移行してビデオ信号を記録することができる。このため、ディスク記録媒体の内周部にビデオ信号を連続してアクセスしたとき、ビデオ信号の連続記録に支障をきたすような場合でも、バッファメモリに蓄積されたビデオ信号の容量に応じて最適なパーティションを選択して移行することができる。したがって、高速でのビデオ信号の長時間の録画が選択された場合でも支障なく連続録画を行うことが可能となる。また、ハードディスク３０の内周部でのビデオ信号の連続アクセスができるほどＨＤＤ２８のアクセス性能を上げる必要がなく、ビデオ信号記録装置のコストアップを抑制することができる。
【００４５】
また、符号化部１８による符号化が可変ビットレートの場合、システム制御部２２およびファイルシステム２４により符号化部１８の発生符号量を制御してバッファメモリ２６に蓄積されるビデオ信号の容量を制御することができる。
例えば、システム制御部２２およびファイルシステム２４は、バッファメモリ２６に蓄積されたビデオ信号の容量を監視し、蓄積されたビデオ信号の容量が第１基準値以上のときには、符号化部１８の圧縮率を大きくするなどして符号化部１８の発生符号量を小さくし、蓄積されたビデオ信号の容量が第２基準値以下のときには、符号化部１８の圧縮率を小さくするなどして符号化部１８の発生符号量を大きくする。
また、最外周のパーティションを使用していたときに限定して、蓄積されたビデオ信号の容量が第１基準値以上の場合に符号化部１８の発生符号量を小さくする制御を行ったり、最内周のパーティションを使用していたときに限定して、蓄積されたビデオ信号の容量が第２基準値以下の場合に、符号化部１８の発生符号量を大きくするなど、符号化部１８の符号量制御は適宜用いることができる。
【００４６】
なお、実施の形態１〜３では、ＨＤＤ２８によりハードディスク３０にビデオ信号を記録する例をあげているが、ディスク記録媒体およびそのドライブ装置はハードディスク３０およびＨＤＤ２８に限るものではなく、ディスク記録媒体のアクセス速度が外周から内周に至るに従って低速になるディスク記録媒体およびそのドライブ装置に適用される。
【図面の簡単な説明】
【００４７】
【図１】実施の形態１のハードディスクビデオレコーダの構成を示すブロック図である。
【図２】ハードディスクの記憶領域の分割方法の一例を示す図である。
【図３】ハードディスクの記憶領域の分割方法の他の例を示す図である。
【図４】ファイル分割して記録する動作を示すフローチャートである。
【図５】ファイル移行の動作を時間軸上で見た図である。
【符号の説明】
【００４８】
１２……ビデオ入力部、１４……ビデオ同期部、１６……ビデオ出力部、１８……符号化部、２０……復号部、２２……システム制御部、２４……ファイルシステム、２６……バッファメモリ、２８……ＨＤＤ、３０……ハードディスク。
【図１】
2009043303.tif 000003
【図２】
2009043303.tif 000004
【図３】
2009043303.tif 000005
【図４】
2009043303.tif 000006
【図５】
2009043303.tif 000007